(57)【要約】【課題】障子を閉めたときに障子と枠体との相対位置または障子同士の相対位置が適切な状態となるように容易に調整することが可能な建具を提供する。【解決手段】上枠、下枠間に設けられた縦骨と召合框とのいずれか一方は、見付け方向に突出された軸に回動自在に設けられた操作レバーと、操作レバーにより軸を中心に回動される係合アームと、係合アームの先端側に設けられた係合部と、を有し、他方は、係合アームの回動により移動された係合部と係合する係合受け部と、係合受け部と軸との間にて見付け方向に突出され、係合アームと接触することにより障子を縦骨から離れる方向に押圧する押圧凸部と、押圧凸部の突出量を調整するための調整機構と、を有する。【選択図】図６
2007255078.tif 000002
【特許請求の範囲】
【請求項１】
上枠、下枠、および左右の縦枠からなり、前記上枠、下枠間に設けられた縦骨、を有する枠体と、
前記左右の縦枠のいずれか一方と前記縦骨との間に固定される固定面材と、
上框、下框、戸先框、および召合框を有し、前記枠体内に設けられて見付け方向に移動自在な障子と、
を有する建具であって、
前記縦骨と前記召合框とのいずれか一方は、見付け方向に突出された軸と、前記軸に回動自在に設けられた操作レバーと、前記操作レバーにより前記軸を中心に回動される係合アームと、前記係合アームの先端側に設けられた係合部と、を有し、
他方は、前記係合アームの回動により移動された前記係合部と係合する係合受け部と、前記係合受け部と前記軸との間にて見付け方向に突出され、前記係合アームと接触することにより前記障子を前記縦骨から離れる方向に押圧する押圧凸部と、前記押圧凸部の突出量を調整するための調整機構と、
を有することを特徴とする建具。
【請求項２】
請求項１に記載の建具であって、
前記縦骨と前記召合框とのいずれか一方には、前記障子が閉められたときに縦骨と前記召合框と対向する部位に第１のシール材が設けられており、
前記係合部が前記係合受け部と係合することにより、前記召合框と前記縦骨とが見込み方向に近接されることを特徴とする建具。
【請求項３】
請求項２に記載の建具であって、
前記戸先框は、前記縦枠と対向する側が開放された溝部を有し、
前記縦枠は、前記障子が閉められたときに前記溝部に入り込む突出片と、前記障子が閉められたときに前記戸先框と対向する部位に第２のシール材と、を有し
前記溝部内には、前記障子が閉められるときに前記突出片が当接されることにより、前記戸先框を前記第２のシール材側へ案内する傾斜を有するガイド部材が設けられていることを特徴とする建具。
【請求項４】
請求項１乃至請求項３のいずれかに記載の建具であって、
前記調整機構は、前記縦骨と前記召合框とのうちの前記他方に固定される基台と、基台に固定され前記押圧凸部を備えた突出ピースとを有し、前記基台と前記突出ピースとの間に介在され数を変更可能なワッシャを有し、前記ワッシャの数が変更されることにより前記押圧凸部の突出量が調整されることを特徴とする建具。
【請求項５】
請求項４に記載の建具であって、
前記基台は樹脂にて形成されており、
前記係合受け部を備え前記他方に固定される金属製の受け部材を有し、
前記受け部材の固定部は前記基台に覆われていることを特徴とする建具。
【請求項６】
上枠、下枠、および左右の縦枠、を有する枠体と、
上框、下框、戸先框、および召合框を有し、前記枠体内に設けられ見付け方向に移動自在な内障子及び外障子と、
を有する建具であって、
前記外障子の召合框は、見付け方向に突出された軸と、前記軸に回動自在に設けられた操作レバーと、前記操作レバーにより前記軸を中心に回動される係合アームと、前記係合アームの先端側に設けられた係合部と、を有し、
前記内障子の召合框は、前記係合アームの回動により移動された前記係合部と係合する係合受け部と、前記係合受け部と前記軸との間にて見付け方向に突出され、前記係合アームと接触することにより前記内障子と前記外障子とを互いに離れる方向に押圧する押圧凸部と、前記押圧凸部の突出量を調整するための調整機構と、
を有することを特徴とする建具。
【請求項７】
係合アームの先端側に設けられた係合部と係合する係合受け部と、
前記係合アームにおける前記係合受け部よりも基端側と接触することにより障子を見付け方向に押圧する押圧凸部と、
前記押圧凸部の突出量を調整するための調整機構と、
を有することを特徴とする押圧係合部材。
【発明の詳細な説明】
【技術分野】
【０００１】
本発明は、枠体に設けられ見付け方向に移動自在な障子を有する建具、及び、建具に設けられる押圧係合部材に関する。
【背景技術】
【０００２】
従来から、枠体に設けられ見付け方向に移動自在な障子を有する建具としては、内障子と外障子とを有する引違い窓や、窓のおよそ半分の領域に面材が固定され、開放された半分の領域を開閉するための障子が設けられた片引き窓が知られている。そして、例えば引違い窓の場合には、窓を閉める際に、内障子の召合框と外障子の召合框とを互いに引き寄せるための引き寄せ機構と、内障子と外障子とを見付け方向において互いに相反する方向に引き分ける引き分け機構とを備えたものがある（例えば、特許文献１参照）。このような引き分け機構は、例えばクレセントなどの施錠機構を利用して、障子の戸先框を枠体側に押圧するように当接させることにより気密に窓を閉塞する機能を有する。
【特許文献１】特開２００４−３００７２９号公報
【発明の開示】
【発明が解決しようとする課題】
【０００３】
建具は、一般的に枠体及び障子の各部材を加工する際の加工の誤差、枠体及び障子を組み立てる際の組立の誤差、枠体及び障子を建物に取り付ける際の調整代などにより、内障子と外障子とを閉めた状態において、互いの召合框の見付け方向における位置がばらつくことがある。このため、建物に単に建具を取り付けただけでは、障子が枠体に押圧されず、がたついたり、また、障子の召合框の位置がずれて施錠機構にて施錠できない畏れがある。このような場合には、障子と枠体との相対位置、又は、障子同士の相対位置が適切な状態となるように、施工現場の限られた工具にて施錠機構、障子、縦枠を構成する部材などに加工を施して調整しなければならず、多大な労力と時間とを費やさなければならない畏れがあるという課題があった。
【０００４】
本発明は、かかる課題に鑑みてなされたものであり、その目的とするところは、障子を閉めたときに障子と枠体との相対位置または障子同士の相対位置が適切な状態となるように容易に調整することが可能な建具、及び、押圧係合部材を提供することにある。
【課題を解決するための手段】
【０００５】
上枠、下枠、および左右の縦枠、前記上枠、下枠間に設けられた縦骨、を有する枠体と、前記左右の縦枠のいずれか一方と前記縦骨との間に固定される固定面材と、上框、下框、戸先框、および召合框を有し、前記枠体内に設けられて見付け方向に移動自在な障子と、を有する建具であって、前記縦骨と前記召合框とのいずれか一方は、見付け方向に突出された軸と、前記軸に回動自在に設けられた操作レバーと、前記操作レバーにより前記軸を中心に回動される係合アームと、前記係合アームの先端側に設けられた係合部と、を有し、他方は、前記係合アームの回動により移動された前記係合部と係合する係合受け部と、前記係合受け部と前記軸との間にて見付け方向に突出され、前記係合アームと接触することにより前記障子を前記縦骨から離れる方向に押圧する押圧凸部と、前記押圧凸部の突出量を調整するための調整機構と、を有することを特徴とする建具である。
【０００６】
このような建具によれば、操作レバーの操作により係合部と係合受け部とが係合した際に係合アームと接触する押圧凸部の突出量を調整するための調整機構を有しているので、調整機構にて押圧凸部の突出量を調整することにより、障子を閉めたときの障子と縦枠との相対位置が適切な位置になるように容易に調整することが可能である。
【０００７】
かかる建具であって、前記縦骨と前記召合框とのいずれか一方には、前記障子が閉められたときに前記縦骨と前記召合框と対向する部位に第１のシール材が設けられており、前記係合部が前記係合受け部と係合することにより、前記召合框と前記縦骨とが見込み方向に近接されることが望ましい。  
このような建具によれば、係合部が係合受け部と係合するときには、障子が閉められており、召合框と縦骨との間に第１のシール材が位置している。このため、係合部が係合受け部と係合して召合框と縦骨とが見込み方向に近接されると、第１のシール材が押圧されるので召合框と縦骨との間のシール性を高めることが可能である。
【０００８】
かかる建具であって、前記戸先框は、前記縦骨と対向する側が開放された溝部を有し、前記縦枠は、前記障子が閉められたときに前記溝部に入り込む突出片と、前記障子が閉められたときに前記戸先框と対向する部位に第２のシール材と、を有し、前記溝部内には、前記障子が閉められるときに前記突出片が当接されることにより、前記戸先框を前記第２のシール材側へ案内する傾斜を有するガイド部材が設けられていることが望ましい。  
このような建具よれば、障子が閉められるときには、縦枠に設けられた突出片がガイド部材に当接され、ガイド部材の傾斜によって戸先框が縦枠に設けられた第２のシール材を押圧することになる。このため、戸先框と縦枠との間のシール性を高めることが可能である。
【０００９】
かかる建具であって、前記調整機構は、前記縦骨と前記召合框とのうちの前記他方に固定される基台と、基台に固定され前記押圧凸部を備えた突出ピースとを有し、前記基台と前記突出ピースとの間に介在され数を変更可能なワッシャを有し、前記ワッシャの数が変更されることにより前記押圧凸部の突出量が調整されることが望ましい。  
このような建具によれば、基台と突出ピースとの間に介在させるワッシャの数を変更することにより、基台に対する突出ピースの突出量を変更することが可能である。このため、ワッシャの数を変更する簡単な作業により容易に押圧凸部の突出量を調整し、障子を縦骨から離れる方向に適切に押圧することが可能である。
【００１０】
かかる建具であって、前記基台は樹脂にて形成されており、前記係合受け部を備え前記他方に固定される金属製の受け部材を有し、前記受け部材の固定部は前記基台に覆われていることが望ましい。  
このような建具によれば、係合部と係合する受け部材を金属にて形成して高い剛性を確保しつつ、受け部材の固定部を樹脂製の基台にて覆い美観に優れた建具を提供することが可能である。
【００１１】
また、上枠、下枠、および左右の縦枠、を有する枠体と、上框、下框、戸先框、および召合框を有し、前記枠体に設けられ見付け方向に移動自在な内障子及び外障子と、を有する建具であって、前記外障子の召合框は、見付け方向に突出された軸と、前記軸に回動自在に設けられた操作レバーと、前記操作レバーにより前記軸を中心に回動される係合アームと、前記係合アームの先端側に設けられた係合部と、を有し、前記内障子の召合框は、前記係合アームの回動により移動された前記係合部と係合する係合受け部と、前記係合受け部と前記軸との間にて見付け方向に突出され、前記係合アームと接触することにより前記内障子と前記外障子とを互いに離れる方向に押圧する押圧凸部と、前記押圧凸部の突出量を調整するための調整機構と、を有することを特徴とする建具である。  
このような建具によれば、操作レバーの操作により係合部と係合受け部とが係合した際に係合アームと接触する押圧凸部の突出量を調整するための調整機構を有しているので、調整機構にて押圧凸部の突出量を調整することにより、障子を閉めたときの内障子と外障子との相対位置が適切な位置になるように容易に調整することが可能である。
【００１２】
また、係合アームの先端側に設けられた係合部と係合する係合受け部と、前記係合アームにおける前記係合受け部よりも基端側と接触することにより障子を見付け方向に押圧する押圧凸部と、前記押圧凸部の突出量を調整するための調整機構と、を有することを特徴とする押圧係合部材である。  
このような押圧係合部材によれば、調整機構にて押圧凸部の突出量を調整することにより、係合アームを操作した際に障子を見付け方向に確実に押圧することが可能である。
【発明の効果】
【００１３】
本発明によれば、障子を閉めたときに障子と枠体との相対位置または障子同士の相対位置が適切な位置となるように容易に調整することが可能である。
【発明を実施するための最良の形態】
【００１４】
以下、本発明の一実施形態に係る建具について図面を参照して説明する。本実施形態においては、建物の開口に設けられた窓枠のおよそ半分の領域に面材が固定され、残り半分の領域は窓枠に沿って移動可能な障子により開閉される所謂片引き窓を構成する建具を例に挙げて説明する。
【００１５】
図１は、本実施形態に係る建具の横断面図である。図２は、図１におけるＡ矢視図である。図３は、図１におけるＢ矢視図である。以下の説明においては、建具を室内側から見たときに上下となる方向を上下方向、左右となる方向を左右方向または見付け方向、奥行き方向を見込み方向として示す。
【００１６】
図示するように、本実施形態の建具１は、枠体としての窓枠１０と、窓枠１０に囲まれた全領域のうちのおよそ半分を覆う固定面材としての固定ガラス１８と、固定ガラス１８より室外側にて窓枠１０に沿って移動可能な障子３０とを有している。
【００１７】
窓枠１０は、上枠１１と、下枠１２と、左縦枠１３と、右縦枠１４と、上下枠１１、１２間を繋ぐように見付け方向のほぼ中央に配置された縦骨１５とを有している。
【００１８】
縦骨１５は、見込み方向の室内側に偏らせて配置され、上下方向に貫通する中空部と、上下方向に沿って設けられ、右方向に開放された中央凹部１５ａとを有している。
【００１９】
本実施形態の建具１は、右縦枠１４と縦骨１５との間に固定ガラス１８が固定されている。具体的には、右縦枠１４の見込み方向の室内側に縦骨１５の中央凹部１５ａと対向するように設けられた右凹部１４ａと、上下枠１１、１２の縦骨１５より右側の領域に中央凹部１５ａ及び右凹部１４ａと繋がるように設けられた上凹部１１ａ及び下凹部１２ａとを有しており、これら右凹部１４ａ、上凹部１１ａ、下凹部１２ａ、中央凹部１５ａによって周方向に繋がる凹部が形成されている。この周方向の凹部内に固定ガラス１８の周縁部が固定されている。このとき、中央凹部１５ａ、右凹部１４ａ、上凹部１１ａ、下凹部１２ａと固定ガラス１８両面との間にはシール材１９が介在されている。このため、窓枠１０のほぼ右側半分の領域は固定ガラス１８にて閉塞された固定窓部１７を構成する。
【００２０】
縦骨１５の室外側の外面１５ｂは、固定窓部１７の枠部１７ａより僅かに室外側に位置している。この外面１５ｂには、上下方向に第１シール材２０を装着するための装着部１５ｃが設けられている。また、上枠１１、下枠１２、左縦枠１３には、縦骨１５の外面１５ｂに設けられた装着部１５ｃと見込み方向のほぼ同じ位置にシール材２１が装着される装着部１１ｃ、１２ｃ、１３ｃが形成された中央壁部１１ｂ、１２ｂ、１３ｂが設けられている。ここで、障子３０が閉められたときに戸先框としての左縦框３６と対向する部位、すなわち、左縦枠１３の中央壁部１３ｂに設けられたシール材２１が第２のシール材に相当する。
【００２１】
建具１では、窓枠１０における上枠１１、下枠１２、左縦枠１３の中央壁部１１ｂ、１２ｂ、１３ｂ及び縦骨１５の外面１５ｂより室外側にて、障子３０が見付け方向に沿って移動される。障子３０が移動する領域の上下枠１１、１２には、見付け方向に沿って障子３０が移動するためのレール１１ｄ、１２ｄが設けられている。また、左縦枠１３の中央壁部１３ｂより室外側に、突出片１３ｄが見付け方向に突設されている。この突出片１３ｄは、障子３０が閉められた際に左縦框３６内に入り込む。
【００２２】
障子３０は、面材としてのガラス３１と、上框３２、下框３４、戸先框としての左縦框３６、召合框としての右縦框３８を有している。上框３２、下框３４、左縦框３６、右縦框３８は、室外側のほぼ半分に偏らせて配置され、障子３０中央側に向かって開放された凹部３２ａ、３４ａ、３６ａ、３８ａを有している。上框３２、下框３４、左縦框３６、右縦框３８の凹部３２ａ、３４ａ、３６ａ、３８ａは周方向に繋がっており、凹部３２ａ、３４ａ、３６ａ、３８ａ内にガラス３１の周縁部が固定される。このとき、凹部３２ａ、３４ａ、３６ａ、３８ａとガラス３１との間にはシール材１９が介在されている。
【００２３】
また、左縦框３６には、障子３０が閉められた際に、左縦枠１３と対向する側に開放され上下方向に沿って溝部３６ｂが設けられている。溝部３６ｂ内には、障子３０が閉められるときに突出片１３ｄが当接されることにより、左縦框３６を第２のシール材２１側へ案内する傾斜４０ａを有するガイド部材４０と、突出片１３ｄに当接されるシール材２８とが設けられている。
【００２４】
本実施形態の建具１には、障子３０を閉めた際に、障子３０の左縦框３６を固定窓部１７の縦骨１５に近接させるための所謂引き寄せ機能と、障子３０を縦骨１５から離れる方向（ここでは左方向）に移動させて左縦框３６を左縦枠１３側に押圧するための所謂引き分け機能とを有する施錠機構５０を有している。
【００２５】
図４は、施錠機構を説明するための側面図である。図５は、施錠機構を説明するための横断面図である。
【００２６】
施錠機構５０は、障子３０の右縦框３８のガラス３１より室内側に設けられた操作部５１と、縦骨１５の左側面に設けられた受け部材５２及び引き分け部材５３を有する押圧係合部材５９とを備えている。
【００２７】
操作部５１は、右縦框３８の上下方向のほぼ中央から、見付け方向に沿って左方向に突出された軸５４と、軸５４に回動自在に設けられた操作レバー５５と、操作レバー５５により軸５４を中心に回動される係合アーム５６と、係合アーム５６の先端に設けられ回動自在な係合部としてのローラ５７とを有している。
【００２８】
操作レバー５５は、施錠機構５０を操作するためのレバーであり、軸５４の鉛直下方に下がった位置から、人の操作により軸５４を中心として室内側を通って上方に移動される。このとき、操作レバー５５は、約１６０°回動可能であり、施錠時には約１６０°回動した施錠位置にて維持される。施錠位置では、操作レバー５５の先端が縦骨１５の最も室内側の面１５ｄよりも室外側に位置するように構成されている。
【００２９】
係合アーム５６は、操作レバー５５と軸５４との間に設けられている。係合アーム５６の先端側には、軸５４と平行に配置された係合軸５８を中心に回動自在な係合部としてのローラ５７が設けられている。係合アーム５６は、操作レバー５５の約半分の長さを有し、操作レバー５５の操作により、軸５４の鉛直下方に下がった位置から回動して受け部材５２と係合する。このとき、係合アーム５６は、軸５４の鉛直下方に下がった位置から約９０°回動した位置、すなわち、係合アーム５６がほぼ水平となる位置でロックされるように構成されている。
【００３０】
図６は、受け部材及び引き分け部材の構成を説明するための分解斜視図である。  
受け部材５２は、係合アーム５６の回動により移動されたローラ５７と係合する係合受け部５２ａを備えた金属製の部材である。受け部材５２は、縦骨１５の左側面に対面させて固定される固定板部５２ｂと、固定板部５２ｂから見付け方向に突設された係合ブロック５２ｃを有している。この係合ブロック５２ｃに係合受け部５２ａが設けられている。
【００３１】
係合受け部５２ａは、受け部材５２が縦骨１５に固定された際に、軸５４に対して見込み方向に所定の間隔を隔てた位置に、軸５４と水平な位置を含む上下の領域に亘って形成された、見付け方向に沿う鉛直な平面である。この係合受け部５２ａの上側には、上方に向かうにつれて室外側に近づく傾斜面５２ｄを有し、下側には下方に向かうにつれて室外側に近づく傾斜面５２ｄを有している。
【００３２】
また、固定板部５２ｂには、縦骨１５に受け部材５２を固定するためのねじが貫通される固定穴５２ｅが設けられている。固定穴５２ｅは、見込み方向に長い長穴であり、係合ブロック５２ｃを挟むように上下に１つずつ配置されている。このため、固定穴５２ｅの長手方向に、軸５４に対する係合受け部５２ａの見込み方向の位置を調整することが可能である。このため、係合アーム５６が９０°回動されて係合アーム５６が水平な状態となったときに、障子３０を縦骨１５側に引き寄せると共に、縦骨１５に設けられた第１シール材２０が障子３０の右縦框３８と縦骨１５とにて押圧されるように、見込み方向の位置が調整されて受け部材５２が固定されている。
【００３３】
引き分け部材５３は、受け部材５２の固定板部５２ｂを覆うように縦骨１５に固定される樹脂製の基台６０と、基台６０とは別体として設けられ基台６０に固定される樹脂製の突出ピース６２と、を有している。
【００３４】
基台６０は、縦骨１５に固定されたときに、既に固定されている固定板部５２ｂとねじとを覆うカバー部６０ａと、係合ブロック５２ｃが突出される穴６０ｂと、基台６０を縦骨１５に固定したときに、穴６０ｂより室外側に設けられ突出ピース６２が収容される突出ピース収容部６０ｃとを有している。
【００３５】
カバー部６０ａは、基台６０を縦骨１５に固定した際に、縦骨１５との間に固定板部５２ｂとねじとが収容される程度の空間が形成されるように肉抜きされて、縦骨１５側の周縁に縁部６０ｇが形成されている。突出ピース収容部６０ｃは、穴６０ｂから突出された係合ブロック５２ｃの先端面５２ｆよりカバー部６０ａからの距離が長くなるような表面部６０ｄを有しており、表面部６０ｄは係合ブロック５２ｃを覆うように延出されている。このため、金属製の受け部材５２は外部から視認されにくく、窓枠１０及び障子３０の各框３２、３４、３６、３８と樹脂製の基台６０及び突出ピース６２との色を揃えることにより建具１の美観を高めることが可能である。
【００３６】
基台６０を縦骨１５に固定した際に、軸５４と水平な位置には、突出ピース６２を収容するための収容穴６４が表面部６０ｄから凹設されている。収容穴６４は、突出ピース６２の外形より僅かに大きなサイズのほぼ円形の穴であり、表面部６０ｄから所定の深さに形成された底部６４ａと、周面に深さ方向に沿って形成された溝部６４ｃとを有している。底部６４ａの中央には底部６４ａを貫通する貫通孔６４ｂが設けられている。この貫通孔６４ｂは、収容穴６４に収容された突出ピース６２を、底部６４ａの反対側からねじ６７が挿入される孔である。貫通孔６４ｂに挿入されたねじ６７が突出ピース６２に設けられた後述するねじ穴６２ａに螺合されることにより、突出ピース６２とねじ６７の頭部とにより底部６４ａが挟持されて突出ピース６２が基台６０に固定される。このため、基台６０が縦骨１５に固定された際には、縦骨１５と底部６４ａとの間に、突出ピース６２を固定するためのねじ６７の頭部が収容される空間が形成されている。
【００３７】
また、突出ピース収容部６０ｃには、収容穴６４を上下に挟むように取付穴６０ｆが設けられている。この取付穴６０ｆには引き分け部材５３を縦骨１５に取り付けるためのねじが挿入される。また、取付穴６０ｆには、座刳りが設けられており、ねじ頭部は表面部６０ｄより内側に収容される。このとき、ねじが収容された取付穴６０ｆに基台６０と同色のカバー材を取付ることや、シール等を貼ることにより、ねじを隠すことも可能である。
【００３８】
突出ピース６２は、基台６０に取り付けられた際に、基台６０の表面部６０ｄから突出する押圧凸部６２ｂを有し、先端が曲面に形成されたほぼ円錐状の先端部６２ｃと、先端部６２ｃから繋がった円柱状の胴部６２ｄとを有している。胴部６２ｄには押圧凸部６２ｂと反対側に、基台６０に固定される際にねじ６７が螺合されるねじ穴６２ａが設けられている。そして、この突出ピース６２は、ねじ穴６２ａが設けられている側から基台６０の収容穴６４に挿入される。また、胴部６２ｄの周面には、挿入方向に沿って外方に突出されて、収容穴６４の溝部６４ｃに入り込む突起６２ｅが設けられている。この突起６２ｅは、突出ピース６２を基台６０にねじ６７にて固定する際に、ねじ６７と共に突出ピース６２が回転することを防止する回り止めとして機能する。
【００３９】
また、本実施形態の引き分け部材５３は、基台６０に突出ピース６２を固定する際に、収容穴６４内にワッシャ６５を備え、底部６４ａと突出ピース６２との間にワッシャ６５を介装させることにより、押圧凸部６２ｂの突出量を調整することが可能である。このため、底部６４ａと突出ピース６２との間に介在させるワッシャ６５の数を少なくするか、又は、介在させない場合には、押圧凸部６２ｂの突出量が小さくなり、介在させるワッシャ６５の数を多くすると突出量が大きくなる。すなわち、本実施形態では、基台６０と突出ピース６２との間にワッシャ６５を介在させて、突出ピース６２を基台６０にねじ止めすることが可能な構成とすることにより、押圧凸部６２ｂの突出量を調整するための調整機構を実現している。
【００４０】
次に、障子を閉める際の動作について説明する。  
図７は、障子を閉める際の障子の軌道を説明するための図である。
【００４１】
図７（ａ）に示すように、障子３０が開いている状態から、操作者が例えば左縦框３６を左方向に押して障子３０を移動させる。このとき、建具１は施錠されていない非施錠状態なので、施錠機構５０の操作レバー５５と係合アーム５６とは、いずれも軸５４の鉛直下方に下がった状態である。
【００４２】
操作者が障子３０の左縦框３６を左縦枠１３側に押し込むと、図７（ｂ）に示すように、障子３０の左縦框３６に設けられた溝部３６ｂ内に、左縦枠１３の突出片１３ｄが入り込む。そして、溝部３６ｂ内に設けられたガイド部材４０の傾斜４０ａに突出片１３ｄの先端が当接される。このとき、溝部３６ｂ内に設けられているシール材２８が突出片１３ｄに当接される。
【００４３】
そして、操作者が障子３０の左縦框３６をさらに左縦枠１３側に押し込むと、図７（ｃ）に示すように、突出片１３ｄにガイド部材４０が押圧され、傾斜４０ａに沿って左縦框３６が左縦枠１３側及び室内側に移動される。このとき、左縦框３６が左縦枠１３の中央壁部１３ｂに設けられた第２のシール材２１を押圧する。この状態で障子３０は、左縦框３６側が右縦框３８より僅かに室内側に位置するように傾いた状態となる。
【００４４】
そして、次に操作者は、操作レバー５５を、室内側から手前に引き上げるように回動させることにより、操作レバー５５と係合アーム５６とを共に軸５４を中心に回動させる。操作レバー５５とともに回動された係合アーム５６は、縦骨１５に設けられた受け部材５２の係合受け部５２ａ（図５）と係合し、係合アーム５６が水平となる位置にてロックされ、操作レバー５５は、操作者により操作レバー５５が上方に至るまで回動される。この操作レバー５５の操作により、図７（ｄ）に示すように右縦框３８は縦骨１５側に引き寄せられ、縦骨１５に設けられた第１シール材２０が右縦框３８により押圧される。
【００４５】
また、このとき係合アーム５６の回動に伴って、軸５４と受け部材５２との間に設けられた引き分け部材５３の押圧凸部６２ｂに係合アーム５６が係合し、障子３０が縦骨１５から離れる方向に移動される。障子３０が縦骨１５から離れる方向に移動されることにより、左縦框３６が左縦枠１３の中央壁部１３ｂに設けられた第２のシール材２１をさらに押圧するとともに、障子３０は、左縦枠１３と押圧凸部６２ｂにより挟持され見付け方向に移動しない状態となる。また、左縦框３６と右縦框３８とがいずれも室内側に引き寄せられるので、障子３０の各框３２、３４、３６、３８と、上枠１１、下枠１２、左縦枠１３及び縦骨１５との間に設けられたシール材２０、２１，２８が押圧されて移動可能な障子３０にて開閉される開口を気密に閉塞することが可能である。
【００４６】
このように、障子３０を閉めて開口を気密に閉塞するためには、障子３０を左縦枠１３に十分に押圧させるとともに、施錠機構５０にて施錠した際に、障子３０が見付け方向に移動しないように左縦枠１３と押圧凸部６２ｂとにて障子３０を挟持することが必要である。ところが、建具１は、窓枠１０を構成する上枠１１、下枠１２、左縦枠１３、右縦枠１４、及び、障子３０を構成する上框３２、下框３４、左縦框３６、右縦框３８等の各部材の加工誤差や、窓枠１０及び障子３０の組立誤差、さらに施工現場における建て付け調整などにより、建物等に建具１を単に取り付けた状態では、障子３０が見付け方向に移動しないように左縦枠１３と押圧凸部６２ｂとにより障子３０が挟持されるとは限らない。そして、左縦枠１３と縦骨１５に設けられた押圧凸部６２ｂとにて障子３０を挟持させるためには、押圧凸部６２ｂの突出量を調整せざるを得ない場合もある。このため、本実施形態の建具１のように、押圧凸部６２ｂの突出量の調整機構を有していると、施工現場において容易に押圧凸部６２ｂの突出量を調整することが可能である。また、押圧凸部６２ｂの突出量の調整機構は、押圧凸部６２ｂを有する突出ピース６２を基台６０に取り付ける際に、基台６０と突出ピース６２との間に介在させるワッシャ６５の数を変更し、ねじ６７で固定する構成としている。このため、押圧凸部６２ｂの突出量の調整機構が簡易な構成であると共に、汎用性の高いワッシャ６５を使用しているので、ドライバ等の工具があれば施工現場でも容易に且つ短時間に調整することが可能である。
【００４７】
また、本実施形態の受け部材５２及び引き分け部材５３は、縦骨１５に取り付けた際に、軸５４と水平な位置から上側と、下側とが対称をなるように形成されているので、内障子側に操作部を設け、受け部材５２及び引き分け部材５３を外障子側に設ける構成であっても用いることが可能である。よって汎用性が高いので、管理が容易であると共にコストを低減することが可能である。
【００４８】
上記実施形態では、押圧凸部６２ｂの突出量の調整機構を、押圧凸部６２ｂを有する突出ピース６２を基台６０に取り付ける際に、基台６０と突出ピース６２との間に介在させるワッシャ６５の数を変更しねじ６７で固定する構成としたが、これに限るものではない。
【００４９】
図８は、押圧凸部の突出量の調整機構の第１変形例を示す図である。図９は、第１変形例の断面図である。以下の説明においては、上記実施形態と同様の部材には同一の符号を付し説明を省略する。
【００５０】
第１変形例の押圧凸部６２ｂの突出量の調整機構は、基台６０に突出ピース６２を収容するための収容穴６４が凹設されており、収容穴６４の底部６４ａの中央には貫通孔６４ｄが設けられている。そして、貫通孔６４ｄは、基台６０を縦骨１５に固定した際に、縦骨１５側となる面が皿もみされている。そして、底部６４ａの皿もみされた側から皿ねじ６９を貫通孔６４ｄに挿入して突出ピース６２を基台６０に固定する。そして、押圧凸部６２ｂの突出量の調整は、皿ねじ６９の締め込み量にて調整する。
【００５１】
図１０は、押圧凸部の突出量の調整機構の第２変形例を示す図である。図１１は、第２変形例の断面図である。
【００５２】
第２変形例の押圧凸部６２ｂの突出量の調整機構は、基台６０に突出ピース６２を収容するための収容穴６４の内周面と、突出ピース６２の胴部６２ｄの外周面とにねじ溝が設けられている。そして、収容穴６４内に圧縮スプリング６６を備えた後に、収容穴６４に突出ピース６２を螺合する。このとき、突出ピース６２の先端、すなわち押圧凸部６２ｂにドライバにて突出ピース６２を回転させるための十字溝６２ｆを設けておくことが望ましい。そして、押圧凸部６２ｂの突出量の調整は、突出ピース６２の締め込み量にて調整する。
【００５３】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００５４】
本実施形態においては、障子３０が固定窓部１７の室外側にて移動する建具１を例に説明したが、障子３０が固定窓部１７の室内側にて移動する建具であっても構わない。また、障子３０側に操作部５１を備え、縦骨１５側に受け部材５２及び引き分け部材５３を備えた例について説明したが、障子３０側に受け部材５２及び引き分け部材５３を備え、縦骨１５側に操作部５１を備えても構わない。
【００５５】
さらに、本実施形態においては、建具１を片引き窓用の建具を例に挙げて説明したが、建具は引き違い窓用の建具であっても構わない。この場合には、内障子と外障子とのいずれか一方に操作部を備え、他方に受け部材５２及び引き分け部材５３が備えられる。また、内障子と外障子とのいずれの戸先框にもガイド部材４０が設けられ、戸先框と対応する縦枠に突出片が設けられる。そして、係合アーム５６により、内障子と外障子との召合框同士が引き寄せられると共に、引き分け部材により内障子と外障子とが互いに離れる方向に移動されることにより、障子を閉めることにより開口を気密に閉塞することが可能である。
【図面の簡単な説明】
【００５６】
【図１】本実施形態に係る建具の横断面図である。
【図２】図１におけるＡ矢視図である。
【図３】図１におけるＢ矢視図である。
【図４】施錠機構を説明するための側面図である。
【図５】施錠機構を説明するための横断面図である。
【図６】受け部材及び引き分け部材の構成を説明するための分解斜視図である。
【図７】障子を閉める際の障子の軌道を説明するための図である。
【図８】押圧凸部の突出量の調整機構の第１変形例を示す図である。
【図９】第１変形例の断面図である。
【図１０】押圧凸部の突出量の調整機構の第２変形例を示す図である。
【図１１】第２変形例の断面図である。
【符号の説明】
【００５７】
１  建具、１０  窓枠、１１  上枠、１２  下枠、１３  左縦枠、１５  縦骨、
１８  固定ガラス、２０  第１のシール材、２１  シール材（第２のシール材）、
２８  シール材、３０  障子、３１  ガラス（面材）、３２  上框、３４  下框、
３６  左縦框、３６ａ  凹部、３６ｂ  溝部、３８  右縦框、３８ａ  凹部、
４０  ガイド部材、５２  受け部材、５２ａ  係合受け部、５３  引き分け部材、
５４  軸、５５  操作レバー、５６  係合アーム、５７  ローラ、
５９  押圧係合部材、６０  基台、６２    突出ピース、６２ｂ  押圧凸部、
６５  ワッシャ、６６  スプリング、６９  皿ねじ
【図１】
2007255078.tif 000003
【図２】
2007255078.tif 000004
【図３】
2007255078.tif 000005
【図４】
2007255078.tif 000006
【図５】
2007255078.tif 000007
【図６】
2007255078.tif 000008
【図７】
2007255078.tif 000009
【図８】
2007255078.tif 000010
【図９】
2007255078.tif 000011
【図１０】
2007255078.tif 000012
【図１１】
2007255078.tif 000013